(57)【要約】画像形成装置において隣接する画素ドライブの相互依存に起因する、誤差を除去する方法とシステム。この方法は、画素遅延要素（１０２と１０４）により、画像形成装置の第１の画素の第１の輝度制御レベルを少なくとも１つの隣接する画素の輝度制御レベルと比較する。比較するステップでの結果に基づいて、推定器（１０６）は、外側の画素が隣接画素に及ぼす相互依存の影響を推定する。システムは、第１の画素の第１の輝度制御レベルを変更して、画素の相互依存の影響を補償する。クリッパ（１１６）の出力、画素相互依存の影響の有るとき第１の画素の輝度を生じる変更された輝度制御レベルが決定される。これは、画素相互依存の影響の無いときに未変更の第１の輝度制御レベルから生じる実際の輝度に一層接近する。
2005518559.tif 000002
【特許請求の範囲】
【請求項１】
画素の相互依存による歪みを除去する方法であって、
第２の輝度制御レベルにある少なくとも１つの隣接する画素に起因して、第１の輝度制御レベルにある第１の画素に及ぼされる、画素の相互依存の影響を推定するステップと、
前記推定するステップに応答して、前記第１の画素の前記第１の輝度制御レベルを変更して、前記画素相互依存の影響を補償するステップと、から成る、前記方法。
【請求項２】
前記推定するステップが更に、前記画素相互依存の影響の無いときに前記第１の画素の実際の輝度を生じる、画素の輝度制御レベルの推定値を計算するステップを含み、それが前記画素相互依存の影響の有るときに前記第１の画素の輝度制御レベルから生じる輝度と等しい、請求項１記載の方法。
【請求項３】
前記推定するステップが更に、前記第１の画素の輝度制御レベルを、１行内にある前記第１の画素の直前と直後に現れる隣接画素の輝度制御レベルと比較するステップを含む、請求項１記載の方法。
【請求項４】
前記推定するステップが更に、前記第１の画素と前記少なくとも１つの隣接画素の輝度制御レベルの差を計算するステップを含む、請求項１記載の方法。
【請求項５】
前記推定するステップが更に、画素相互依存関数により前記画素をスケール化するステップを含む、請求項４記載の方法。
【請求項６】
前記画素相互依存関数が１次単関数である、請求項５記載の方法。前記変更するステップが更に、前記画素相互依存の影響の有るときに前記第１の画素の輝度を生じる変更された輝度制御レベルを決定し、それが前記画素の相互依存の影響の無いときに未変更の第１の輝度制御レベルから生じる実際の輝度に近似する、請求項１記載の方法。
【請求項７】
前記推定するステップと前記変更するステップを更に含む、請求項１記載の方法。
【請求項８】
画像形成装置において隣接する画素ドライブ相互依存に起因する、画素相互依存誤差を除去するためのシステムであって、
第２の輝度制御レベルにある少なくとも１つの隣接画素に起因して、第１の輝度制御レベルにある第１の画素に及ぼされる、画素の相互依存の影響を推定する推定器と、
前記推定器に応答し、前記第１の画素の前記第１の輝度制御レベルを変更して前記画素相互依存の影響を補償する相互作用調節段と、から成る前記システム。
【請求項９】
前記推定器が、画素相互依存の影響の無いときに前記第１の画素の実際の輝度を生じる画素輝度制御レベルの推定値を計算し、それが前記画素相互依存の影響の有るときに前記第１の画素輝度制御レベルから生じる輝度と等しい、請求項８記載のシステム。
【請求項１０】
前記推定器が、第１の画素の輝度制御レベルを、１行内にある前記第１の画素の直前および直後に現れる隣接画素の輝度制御レベルと比較する、請求項９記載のシステム。
【請求項１１】
前記推定器が、前記第１の画素と前記少なくとも１つの隣接する画素の輝度制御レベルの差を計算する、請求項９記載のシステム。
【請求項１２】
前記推定器が前記差を画素相互依存関数でスケールする、請求項１２記載のシステム。
【請求項１３】
前記画素相互依存関数が１次単関数である、請求項１３記載のシステム。
【請求項１４】
前記相互作用調節段で、前記画素相互依存の影響の有るときに第１の画素の輝度を生じる、変更された輝度制御レベルを決定し、それが前記画素相互依存の影響の無いときに未変更の第１の輝度制御レベルから生じる実際の輝度に一層近似する、請求項９記載のシステム。
【請求項１５】
縦続接続された前記推定器と前記相互作用調節段とを更に含み、変更された最終的輝度制御レベルを反復的に計算する、請求項９記載のシステム。
【発明の詳細な説明】
【技術分野】
【０００１】
本発明は、隣接画素の相互依存を生じる画像形成装置（ｉｍａｇｅｒ：イメージャ）を利用するビデオ・システムの分野に関し、特に、そのような相互依存の影響を補正するシステムに関する。
【背景技術】
【０００２】
種々のタイプの電子ディスプレイおよびビデオ・イメージング装置において、多数の新しい開発が行われている。そのような技術の一例は、ＬＣＯＳ（Ｌｉｑｕｉｄ  Ｃｒｙｓｔａｌ  Ｏｎ  Ｓｉｌｉｃｏｎ：シリコン基板上の液晶）である。これら種々のタイプの表示装置は、多くの利点を有するが、比較的新しい技術のうちには、隣接する画素の相互依存を生じるものがある。一般に、隣接画素の相互依存（ｉｎｔｅｒｄｅｐｅｎｄｅｎｃｅ）とは、画像形成装置において、１つ以上の隣接する画素の影響（ｅｆｆｅｃｔ：作用、効果）に起因する、１画素の輝度レベルの歪み（ｄｉｓｔｏｒｔｉｏｎ）である。このような相互依存の原因は、ディスプレイのタイプまたはイメージング技術に依り変化する。例えば、ＬＣＯＳの場合、この問題は主として、回位（ｄｉｓｃｌｉｎａｔｉｏｎ：ディスクリネーション）による誤差に起因すると考えられる。この作用の理解に役立てるために、ＬＣＯＳについて簡単に説明する。
【０００３】
ＬＣＯＳは、シリコン・ウェーハ（基板）上に形成される１個の大きな液晶と見做される。シリコン・ウェーハは、ごく小さいプレート電極のインクリメンタル・アレイ（配列）に分割される。液晶のごく小さいインクリメンタル領域は、各極小プレート（ｔｉｎｙ  ｐｌａｔｅ）および共通プレート（ｃｏｍｍｏｎ  ｐｌａｔｅ）より発生される電界の影響を受ける。各極小プレートと、それに対応する液晶領域は、共に画像形成装置のセル（ｃｅｌｌ）と呼ばれ、各セルは、個別に制御可能な画素（ｐｉｘｅｌ：ピクセル）に対応する。液晶の他方の側に、共通プレート電極が配置される。各セル（即ち、画素）は入力信号が変わるまで同じ輝度で照らされており、従ってサンプル・アンド・ホールド回路として作用し、陰極線管（ＣＲＴ）における蛍光体と同様に、画素は衰えない。各一組の共通プレート電極（ｃｏｍｍｏｎ  ｐｌａｔｅ  ｅｌｅｃｔｒｏｄｅ）と可変プレート電極（ｖａｒｉａｂｌｅ  ｐｌａｔｅ  ｅｌｅｃｔｒｏｄｅ）が、１個の画像形成装置を形成する。各色につき１個の画像形成装置、この場合、赤（Ｒｅｄ）、緑（Ｇｒｅｅｎ）、青（Ｂｌｕｅ）の各々につき１個の画像形成装置、が備えられる。
【０００４】
ＬＣＯＳ画像形成装置を有するライト（光）エンジンは、表示伝達関数に強度の非線形性を有し、これはディジタル・ルックアップ・テーブル（ガンマ表と称される）で補正される。ガンマ表は、伝達関数における利得の差を補正する。この補正にもかかわらず、通常は白色のＬＣＯＳ画像形成装置のイメージング伝達関数の強度の非線形性は、暗い領域での光対電圧利得が非常に低いことを意味する。従って、比較的低い輝度レベルでは、輝度の差が少しだけ異なる隣接画素は、非常に異なる電圧レベルでドライブ（駆動）する必要がある。これは所望の電界に対し直角の成分を有する周辺電界を発生する。この直交する電界は望まれる以上に明るい画素を生じ、このため、対象物の周辺部は、望ましくないほど明るくなる。このような直交電界の存在は、回位（ｄｉｓｃｌｉｎａｔｉｏｎ：ディスクリネーション）と称される。回位により発生され、視聴者に知覚されるこの画像のアーティファクトは、閃光（ｓｐａｒｋｌｅ：スパークル）と呼ばれることもある。回位が起こる画像の領域が、画像をおおう閃光を有するように見えるからである。実際、回位に影響される暗い画素は明るすぎ、しばしば、本来の明るさの５倍にもなる。画像形成装置より発せられる各色に対し、閃光は赤、緑、青で現れる。一般に、このような輝度の歪みは、隣接する画素の相互依存に起因すると言われている。
【０００５】
ＬＣＯＳによる画像化は、新しい技術であり、回位は新しい種類の問題である。しかしながら、隣接する画素の相互依存から生じる輝度の問題は必ずしも、ＬＣＯＳ画像形成装置に限定されない。他のタイプのディスプレイや画像形成装置も同様に隣接画素の輝度の歪みを被る。このような歪みの物理的原因は、全てのタイプの画像形成装置について全く同じではないが、これらの影響は、隣接画素の相互依存として広く特徴づけられる。
【０００６】
隣接画素の相互依存の問題を解決する種々の方法が提案されており、これらの方法には、画像の輝度成分全体の信号処理も含まれる。しかしながら、このようなシステムは、画質全体を低下させる傾向がある。このような従来技術によるシステムにおける隣接画素相互依存の影響を除去するトレードオフ（妥協の交換条件）として、水平方向の鮮鋭度のほとんど無い画像となる。画像のディテール（細部）と鮮鋭度は、そのようにして犠牲にすることはできない。
【０００７】
当業者は、隣接画素の相互依存の問題が処理され、この問題の発生源である画像形成装置において最終的に解決されることを期待する。しかしながら、ＬＣＯＳのような発展途上の技術において、ＬＣＯＳ画像形成装置の製造者以外の者が、この問題を解決する機会は全くない。更に、画像形成装置に基づく解決法があらゆるタイプの画像形成装置に適用されるとは思われない。従って、画像形成装置を変更せずに実施できる、この問題の解決法を提供することが急務である。
【発明の開示】
【０００８】
（発明の概要）  
本発明は、隣接する画素の相互依存を原因とする、画素の輝度の歪みを除去するための方法とシステムに関する。この方法はその最も基本的な形式として、第２の輝度制御レベルにある少なくとも１つの隣接する画素に起因して、第１の輝度制御レベルにある第１の画素に及ぼされる、隣接画素相互依存の影響を推定する。この推定に基づいて、第１の画素の第１の輝度制御レベルを変更して、隣接画素相互依存の影響を補償する。推定するステップには、画素の相互依存の影響の無いときに、第１の画素の実際の輝度を生じる輝度制御レベルの推定値を計算するステップを含み、これは、相互依存の影響の有るときに、第１の画素輝度制御レベルから生じる輝度と等しい。
【０００９】
本発明の１つの態様によれば、推定するステップには、１行（ｒｏｗ）内で第１の画素の直前および／または直後に現れる隣接画素の輝度制御レベルと、第１の画素の輝度制御レベルとを比較するステップを含んでいる。画素の相互依存関数を使用して、画素の実際の輝度に及ぼされる画素相互依存の影響を計算することができる。画素の相互依存関数は、複素関数（ｃｏｍｐｌｅｘ  ｆｕｎｃｔｉｏｎ）または単関数（ｓｉｍｐｌｅ  ｆｕｎｃｔｉｏｎ）である。変更するステップで、画素の相互依存の有るときに、第１の画素の輝度を生じる変更された輝度制御レベルを決定する。これは、隣接する画素の相互依存の無いときに、未変更の第１の輝度制御レベルから生じる実際の輝度に近似する。比較するステップと変更するステップを繰り返して、改善された結果が得られる。
【００１０】
本発明には、隣接画素の相互依存に起因するディスプレイまたは画像形成装置における輝度の歪み（誤差）を除去するシステムも含まれる。推定器（ｅｓｉｍａｔｏｒ）を備え、第２の輝度制御レベルにある少なくとも１つの隣接する画素に起因する、第１の輝度制御レベルにある第１の画素に及ぼされる、影響を推定する。推定器は、画素の相互依存の影響の無いときに、第１の画素の実際の輝度を生じる画素輝度制御レベルの推定値を計算する。これは、画素の相互依存の影響の有るときに、第１の画素の輝度制御レベルから生じる実際の輝度に等しい。
【００１１】
本発明の１つの態様によれば、推定器は第１の画素の輝度制御レベルを１つ以上の隣接する画素の輝度制御レベルと比較する。例えば、隣接する画素は、１行内で第１の画素の直前または直後に現れる。推定器は、画素の相互依存関数に従ってその差を変更し、画素の相互依存の相対的影響を適正に調節する。画素の相互依存関数は、複素関数または単関数である。
【００１２】
相互作用調節段（ｉｎｔｅｒａｃｔｉｖｅ  ａｄｊｕｓｔｍｅｎｔ  ｓｔａｇｅ）は、第１の画素の第１の輝度制御レベルを変更して、画素の相互依存による誤差を補償する。相互作用調節段は、画素の相互依存誤差の有るときに第１の画素の輝度を生じる変更された輝度制御レベルを決定する。これは、画素の相互依存誤差の無いときに未変更の第１の輝度制御レベルから生じる実際の輝度に一層よく近似する。相互作用推定器と相互作用調節段を備えて、近似値（推定値）を改善する。
【発明を実施するための最良の形態】
【００１３】
本発明は、隣接する画素の相互依存に起因する、電子ディスプレイまたは画像形成装置における輝度の歪みを除去する。このために、第２の輝度制御レベルにある少なくとも１つの隣接画素に起因する、第１の輝度制御レベルにある第１の画素に及ぼされる、画素の相互依存の影響を推定し、その結果を使用して、第１の画素に対する輝度制御信号を反復的に事前調整／変更し、隣接画素に起因する輝度の歪みを補正する。このプロセスを実施するために、画素の輝度制御信号を選択的に制御して、隣接画素の知られている相互依存の影響を補償する。本発明を理解する便宜のために、図１および図２は、このプロセス（処理）がどのように実施されるかを例示する。しかしながら、本発明はここに示す実施例だけに限定されないことが理解されるべきである。
【００１４】
図１は、本発明の好ましい実施例による輝度制御（ｂｒｉｇｈｔｎｅｓｓ  ｃｏｎｔｒｏｌ）システムの第１段（ステージ）のブロック図である。このシステムへの入力は、画像形成装置に表示される画素についての一連の輝度制御レベルである。入力信号は、１行内で各画素に割り当てられた強度（輝度）を直接または間接に示すアナログ信号またはディジタル信号である。例えば、入力は、所望の画素の輝度をアナログ的またはディジタル的に表し、選択された画素の制御電圧と間接的な関係のみを有する。実施例によれば、本明細書中で「輝度制御レベル（ｂｒｉｇｈｔｎｅｓｓ  ｃｏｎｔｒｏｌ  ｌｅｖｅｌ）」とは、従来のＩＲＥレベルを指す。全白色の信号は１００  ＩＲＥ単位であり、絶対的黒の信号は０  ＩＲＥ単位である。しかしながら、本発明はこれに限定されず、輝度制御レベルは、ディジタル・ワード（語）でも表現できる。例えば、輝度を指定するために８ビットのディジタル・ワードを使用することにより、２５６の異なる輝度制御レベルを表現できる。更に、ここでの画素輝度制御レベルの調節は、特定の表示装置に必要なガンマ補正に先立ち実行されるのが好ましい。画素の相互依存による誤差を補正するための輝度制御レベルの調節は、ガンマ補正後に実行できるが、その場合はより一層複雑な処理を必要とする。
【００１５】
輝度制御レベル入力信号は、各画素の好ましい輝度レベルを表す必要なデータを提供する。入力は、ディジタルか、ＩＲＥか、或いはアナログの形式であるにせよ、１行内の各画素に順次に供給されるのが好ましい。このようにして、制御信号は各行の画素についておよび後続の全ての行について、輝度レベルの情報を生成する。
【００１６】
図２は、一連の画素１１７、１１８、１１９の輝度をそれぞれ表示できる一連の輝度値１２０、１２２、１２４を含む入力信号を表す。しかしながら、本発明はこれに限定されず、他の形式の画素制御信号も可能である。図１で、画素遅延要素１０２と１０４を備えて、水平方向に隣接する３つの画素１１７、１１８、１１９の輝度制御レベルが、図示するように、推定器１０６で評価できるようにする。図１における“Ａ”（図１の右上部）は、遅延要素１０２の出力が、図３に示すシステムの次の段への入力としても供給されることを示す。
【００１７】
推定器（ｅｓｔｉｍａｔｏｒ）１０６は、中央の画素１１８、およびその外側の２個の画素１１７、１１９の輝度制御レベル１２２、および１２０、１２４をそれぞれ受け取る。推定器１０６は、これらの値を使用して中央の画素に及ぼされる外側の画素の相互依存の影響を推定する。推定器１０６の出力は、元の未変更の輝度制御レベルを使用して、画素相互依存誤差の有るときに中央の画素１１８に生じる輝度レベルの推定値である。この推定を行うために、推定器１０６は、隣接画素間の輝度制御レベルの差を評価し、画素相互依存関係に基づく出力を発生する。画素の相互依存関係は、単関数または複素関数である画素相互依存関数により決定される。一般に、画素の相互依存関数は、使用される特定の画像形成装置に依り異なるが、実験的に、またはコンピュータによるモデル化（ｍｏｄｅｌｉｎｇ）により決定する。何れにしても、使用される特定の画像形成装置に依り、推定器の伝達関数を決定する。
【００１８】
推定器１０６から出力される画素輝度の推定値は、相互作用調節段に送られる。相互作用調節段は、画素１１８について推定される輝度制御レベル（推定器１０６で決定される）を比較し、画素１１８について変更された輝度制御レベルを発生する。変更された輝度制御レベルは、画素の相互依存誤差を少なくとも一部は補正された画素１１８の実際の輝度を生じるようにする。画素１１８の変更済み輝度制御レベルは、画素１１７、１１９からの相互依存誤差の有るとき、相互依存誤差の無いときに画素１１８の未変更の輝度制御レベルから生じる実際の輝度に一層よく近似するようにする。図１で、相互作用調節段には差のブロック１０８、重み付けブロック１１０、丸め（四捨五入）ブロック１１２、加算ブロック１１４、およびクリッパ（切りとり回路）１１６が含まれる。しかしながら、本発明はこれに限定されず、本発明の意図する範囲から逸脱することなく、相互作用調整段について他の構成も可能である。
【００１９】
差のブロック１０８において、推定器１０８からの輝度の推定値は、画素１１８に割り当てられた元の画素制御信号の輝度値から差し引かれる。重み付けブロック１１０で、画素１１８の推定された輝度制御レベルと元の輝度制御レベルとの差に相互作用定数（０と１の間）を掛ける。相互作用定数値は、輝度制御システム段（図１）のための重み付け値として使用され、望まれる重み付けを、その段が示す画素の輝度補正に与えるように選択される。最小数の反復で最も正確な推定を達成するために、相互作用定数を調節できる。定数が小さすぎると輝度の変更値の計算に過大な数の反復を必要とし、定数が大きすぎると発振（振動）を生じる。相互作用定数は約０．６８で許容できる結果が得られることが判明している。
【００２０】
重み付けされた出力はブロック１１２で丸められ（四捨五入され）、補正値として使用される。この補正値は、加算ブロック１１４で元の輝度制御レベルに加えられる。負の輝度値はあり得ないので、負のクリッパ（切りとり回路）がブロック１１６に備えられる。ブロック１１６からの出力は、画素１１８の変更された輝度制御レベルであり、画素１１７、１１９からの画素相互依存の影響の有るとき、画素相互依存の影響の無いときに画素１１８の未変更の輝度制御レベルから生じる実際の輝度に一層よく近似するようにする。
【００２１】
図１で、画素１１８に関して前述した輝度制御レベル調節プロセスは、ディスプレイまたは画像形成装置において各画素毎に実行される。特に、図１に関して述べたように各画素が第１段で変更されると、このようなスケール化は当然、隣接する画素に影響を及ぼす。例えば、図１におけるプロセスから生じる、隣接画素１１７、１１９についての変更された輝度制御値は、図１で実行される画素１１８の処理で予測されたものと異なる画素相互依存の影響を画素１１８に関して発生する。このような影響を除去するために、スケール化（ｓｃａｌｉｎｇ）段を図３に示すように追加できる。勿論、各段或いは処理の反復は、隣接する画素の輝度値にある程度の影響を及ぼす。しかしながら、約２回〜７回の反復で、合理的に正確な画素輝度の変更値が得られることが計算によって判明している。
【００２２】
図３は、本明細書中で説明する輝度制御システムの実施に使用できる第２段を示す。図３に示す処理は、第２段に続く反復処理段の何れにも使用できる。簡略化すると、図３に示す各段で、第１段と同様にして推定器２０６で画素１１８の新しい輝度制御レベルが計算されるが、画素１１７、１１８、１１９の輝度制御レベルは、前段である程度補正されている。従って、推定器２０６は、前段で画素１１７、１１８、１１９になされた調節を考慮に入れて、画素１１８について予測される新しい輝度の値を発生する。
【００２３】
図３のシステムの相互作用調節段におけるブロック２０８で、推定器２０６から出力された新しい輝度の推定値は、画素１１８の元の輝度制御レベルから差し引かれる。この差（一般に負の数）に、重み付けブロック２１０で重み付け係数Ｋを掛け、丸めブロック２１２で四捨五入し、ブロック２１４で、前段からの画素１１８の補正された輝度制御レベルと加算する。負の値が（いかなる値でも）ブロック２１６で切りとられてから、その出力が次の段に送られる。この付加的処理段は、別の補正値を発生し、これは、前段からの結果と比較すると、画素１１８の正確に調節された輝度値に近づく。画像の表現に望まれる精度を達成するために、幾つかの段を使用できるが、２段〜７段がよい結果を出すことが判明している。最終段の後に、輝度制御レベルは、画像形成装置のドライブ（駆動）回路に送られる。
【００２４】
図３の処理段は、図１の処理段とほぼ同じである。しかしながら、１つの重要な相違点は、ブロック２０６で計算された差は、遅延ブロック２０２からの変更された値ではなくむしろ、図１からの元の輝度制御レベルの値に基づいていることである。
【００２５】
図４に、推定器１０６の動作を詳細に示し、推定器２０６も同様に動作できることが理解される。図４の推定器は、特定の画素相互依存を生じるＬＣＯＳ画像形成装置を特別に設計するために構成される。従って、画像形成装置が異なれば、異なる推定器を必要とし、図４に示す構成は一例にすぎない。
【００２６】
推定器１０６で使用される画素相互依存関数は、実験的にまたはコンピュータによるモデル化で決定できる。しかしながら、通常は白色モードで動作するＬＣＯＳ画像形成装置における隣接画素は、画素ドライブ値の絶対差の非減少（ｎｏｎ−ｄｅｃｒｅａｓｉｎｇ）関数により画素の輝度を増大できることが一般に認められている。従って、図４は、隣接する画素の輝度制御レベルの絶対的変化への線形依存を仮定する推定器のブロック図を例示する。
【００２７】
図４で、推定器１０６は、遅延ブロック１０２から画素１１８の輝度制御レベルを、そして遅延ブロック１０４から画素１１７の輝度制御レベルを、入力として受け取り、そして画素１１９の遅延されない輝度制御レベルを受け取ることができる。画素値間の差は、差のブロック１２８、１３０で決定され、この差の絶対値はブロック１３２、１３４で決定される。その結果は加算ブロック１３６で加算され、その出力に画素相互依存係数Ｋｄを掛ける。一般に、相互依存係数の値は、０〜１である。相互依存係数Ｋｄの実際の値は、使用される画像形成装置により決定される。この値は、実験的にまたはコンピュータによるモデル化により、決定できる。例えば、Ｋｄの値０．７５は、或る種のＬＣＯＳ画像形成装置のモデル化用に受け入れられることが判明している。加算ブロック１４０で、スケール化された値は、ブロック１０２からの元の画素輝度値と加算され、その結果は推定器１０６の出力として使用される。
【００２８】
上述した輝度制御システムの理解に役立つ実例を示す。図２に示すように、画素はゼロ〜１００のＩＲＥ輝度値を有する（ゼロは最も暗く、１００は最も明るい）。画素１１７、１１８、１１９の輝度値１２０、１２２、１２４はそれぞれ、２８  ＩＲＥ、３０  ＩＲＥ、２７  ＩＲＥである。これらの値を推定器１０６の入力に加えると、絶対値ブロック１３２と１３４からの出力値はそれぞれ２と３になり、これを加算ブロック１３６で加算すると出力５を生じる。この値にＫｄ＝０．７５を掛けると出力３．７５が得られる。この補正値と画素１１８の元の輝度制御レベル３０を合計すると推定器の出力値３３．７５  ＩＲＥが得られる。この推定器の出力値は、画素１１８の実際の輝度よりも幾分明るい輝度を表しており、これは画素１１７と１１９に関連する画素の相互依存誤差から生じる。  
【００２９】
ブロック１０８において、この出力３３．７５  ＩＲＥは、遅延ブロック１０２から受け取られる画素１１８の元の輝度制御レベルから差し引かれ、この差は、−３．７５となる。重み付けブロック１１０で、この輝度制御レベルに重み付け係数（０．６８と仮定する）を掛ける。この出力値は−２．５５となり、丸めブロック１１２で四捨五入され−３．０となる。最後に、加算ブロック１１４で、補正値として−３．０を画素１１８の元の輝度制御レベル３０に加える。出力は２７  ＩＲＥとなり、これは正の値なので、負のクリッパ・ブロック１１６はこの値を変更せずに次の段の入力に送る（図３）。第１段は画素１１８の輝度制御レベルを、この場合、３０から２７に減じており、画素１１７と１１９に関連する画素の相互依存誤差の説明となる。加算ブロック１１４の出力が負であったならば、画素の相互依存の影響を補償するために画素１１８を負の輝度レベルにドライブする必要がある。負の輝度値はあり得ないので、負の値は単純にゼロにされる。
【００３０】
本発明は、ハードウェア、ソフトウェア、またはハードウェアとソフトウェアを組み合わせて実現できる。本明細書中に記載された、遅延および処理のアルゴリズムを実行するための機械読取り可能な記憶装置は、１つのコンピュータ・システムにおいて中央集中方式（例えば、ディスプレイに関連する制御ＣＰＵ）で、或いは相互に接続された数個のハードウェアに種々異なる処理要素が分散された分配方式で実現できる。あらゆる種類のコンピュータ・システム、或いは本明細書中で説明した方法を実行するように考案された他の装置、も受け入れられる。
【００３１】
本発明を実行するためのハードウェアとソフトウェアの典型的な組合せは、コンピュータ・プログラムを備える汎用のコンピュータ・システムであり、プログラムがロードされて実行されると、コンピュータ・システムとディスプレイ・システムを制御し、本明細書中で説明した方法を実行する。また、本発明は、本明細書中で述べた方法の実施を可能とするあらゆる特徴を備え、且つコンピュータ・システム内にロードされると、これらの方法を実行できるコンピュータ・プログラム内に埋め込むことができる。これに関連するコンピュータ・プログラムは、直接的に、または（ａ）別の言語、コードまたは表記法への変換、および／または（ｂ）異なる素材形式での再生の後に、情報処理能力を有するシステムが特定の機能を実行できるようにする一組の命令を、任意の言語、コードまたは表記法で、任意に表現できる。 
【図面の簡単な説明】
【００３２】
【図１】隣接する画素の相互依存の見かけの影響を除去する反復的アルゴリズムの第１のステップを示すブロック図である。
【図２】画像形成装置またはディスプレイにおける画素の１行で各画素の輝度を制御信号がいかに制御できるかを示す図である。
【図３】隣接する画素の相互依存の見かけの影響を除去するために、図１のアルゴリズムに続く段で使用できる反復的アルゴリズムを示すブロック図である。
【図４】図１と図２で使用できる推定器の詳細なブロック図である。
【図１】
2005518559.tif 000003
【図２】
2005518559.tif 000004
【図３】
2005518559.tif 000005
【図４】
2005518559.tif 000006
【国際調査報告】
2005518559.tif 000007